(57)【特許請求の範囲】
【請求項１】
基地局装置からＳＲＳ（Sounding  Reference  Signal）の送信指示を含む上りスケジューリンググラントを送信するステップと、移動局装置から前記上りスケジューリンググラントに含まれるＳＲＳの送信指示に応じてＳＲＳを送信するステップと、を具備し、前記移動局装置は、前記上りリンクスケジューリンググラントで送信が指示されるＰＵＳＣＨ（Physical  Uplink  Shared  Channel）のサブフレーム、又は、該ＰＵＳＣＨのサブフレームから所定サブフレーム数だけ後のサブフレームを含み最も早いＳＲＳ送信可能なサブフレームで、ＳＲＳを送信することを特徴とする参照信号送信方法。
【請求項２】
前記移動局装置は、前記上りリンクスケジューリンググラントで送信が指示されるＰＵＳＣＨのサブフレームの直前のサブフレームでＳＲＳを送信することを特徴とする請求項１記載の参照信号送信方法。
【請求項３】
前記移動局装置は、前記上りリンクスケジューリンググラントで送信が指示されるＰＵＳＣＨのサブフレームの所定数前のサブフレームでＳＲＳを送信することを特徴とする請求項１記載の参照信号送信方法。
【請求項４】
前記基地局装置は、前記上りスケジューリンググラントとハイヤレイヤシグナリングを併用して、前記ＳＲＳを多重するためのリソース情報を前記移動局装置に通知することを特徴とする請求項１から請求項３のいずれかに記載の参照信号送信方法。
【請求項５】
前記基地局装置は、前記移動局装置を含む複数の移動局装置からのＳＲＳを同一シンボルに多重するためのリソース情報の一部を前記上りリンクスケジューリンググラントで前記移動局装置に通知する場合、前記リソース情報の一部は、当該上りリンクスケジューリンググラントを構成している他の制御ビットを利用することを特徴とする請求項１から請求項４のいずれかに記載の参照信号送信方法。
【請求項６】
基地局装置からＳＲＳ（Sounding  Reference  Signal）の送信指示を含む上りスケジューリンググラントを受信する受信部と、前記上りリンクスケジューリンググラントで送信が指示されるＰＵＳＣＨ（Physical  Uplink  Shared  Channel）のサブフレーム、又は、該ＰＵＳＣＨのサブフレームから所定サブフレーム数だけ後のサブフレームを含み最も早いＳＲＳ送信可能なサブフレームで、ＳＲＳを送信する送信部と、を具備することを特徴とする移動局装置。
【請求項７】
前記ＳＲＳは、前記上りリンクスケジューリンググラントで送信が指示されるＰＵＳＣＨのサブフレームの最終シンボルに多重されることを特徴とする請求項６記載の移動局装置。
【請求項８】
前記ＳＲＳは、前記上りリンクスケジューリンググラントで送信が指示されるＰＵＳＣＨのサブフレームの直前のサブフレームの最終シンボルに多重されることを特徴とする請求項６記載の移動局装置。
【請求項９】
ＳＲＳ（Sounding  Reference  Signal）の送信指示を含む上りスケジューリンググラントを移動局装置に送信する送信部と、前記送信指示に応じて前記移動局装置から送信されたＳＲＳを受信する受信部と、を具備し、
前記ＳＲＳは、前記上りリンクスケジューリンググラントで送信が指示されるＰＵＳＣＨ（Physical  Uplink  Shared  Channel）のサブフレーム、又は、該ＰＵＳＣＨのサブフレームから所定サブフレーム数だけ後のサブフレームを含み最も早いＳＲＳ送信可能なサブフレームで、前記移動局装置から送信されることを特徴とする基地局装置。
【請求項１０】
前記送信部は、前記上りスケジューリンググラントとハイヤレイヤシグナリングを併用して、前記ＳＲＳを多重するためのリソース情報を前記移動局装置に送信することを特徴とする請求項９記載の基地局装置。
【請求項１１】
ＳＲＳ（Sounding  Reference  Signal）の送信指示を含む上りスケジューリンググラントを送信する送信部と、前記送信指示に応じて前記移動局装置から送信されたＳＲＳを受信する受信部と、を具備する基地局装置と、
前記基地局装置から前記上りスケジューリンググラントを受信する受信部と、前記上りリンクスケジューリンググラントで送信が指示されるＰＵＳＣＨ（Physical  Uplink  Shared  Channel）のサブフレーム、又は、該ＰＵＳＣＨのサブフレームから所定サブフレーム数だけ後のサブフレームを含み最も早いＳＲＳ送信可能なサブフレームで、ＳＲＳを送信する送信部と、を具備する移動局装置と、
を具備することを特徴とする無線通信システム。
【発明の詳細な説明】
【技術分野】
【０００１】
本発明は、参照信号送信方法、移動局装置及び基地局装置に関し、特に、次世代移動通信システムにおける参照信号送信方法、移動局装置及び基地局装置に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（ＬＴＥ:Long  Term  Evolution）が検討されている（例えば、非特許文献１参照）。
【０００３】
第３世代のシステムは、概して５ＭＨｚの固定帯域を用いて、下り回線で最大２Ｍｂｐｓ程度の伝送レートを実現できる。一方、ＬＴＥ方式のシステムにおいては、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。例えば、ＬＴＥ−Ａにおいては、ＬＴＥ仕様の最大システム帯域である２０ＭＨｚを、１００ＭＨｚ程度まで拡張することが予定されている。
【０００４】
ＬＴＥ方式のシステム（ＬＴＥシステム）において、基地局装置は、移動局装置から送信されるチャネル品質測定用のＳＲＳ（Sounding  Reference  Signal）に基づいて上りリンクのチャネル品質を測定し、移動局装置がデータチャネル信号（ＰＵＳＣＨ：Physical  Uplink  Shared  Channel）を送信するためのスケジューリングを行い、ＰＤＣＣＨ（Physical  Downlink  Control  Channel）にて指示する。この場合において、チャネル品質測定用のＳＲＳは、上りリンクの無線フレームを構成するサブフレームの最終シンボルに多重され、５ｍｓｅｃ間隔で周期的に移動局装置から基地局装置に送信される。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
しかしながら、ＬＴＥシステムにおいては、移動局装置から上りリンクで送信するデータチャネル信号（ＰＵＳＣＨ）が存在しない場合においても、ＳＲＳが周期的に基地局装置に送信されている。このため、データチャネル信号（ＰＵＳＣＨ）の有無とは無関係にＳＲＳの送信に用いられる無線リソースが固定的に使用され、無線リソースを効率的に使用することが困難であるという問題がある。
【０００７】
本発明は、このような問題点に鑑みてなされたものであり、ＳＲＳの送信に用いられる無線リソースを効率的に使用することができる参照信号送信方法、移動局装置及び基地局装置を提供することを目的とする。
【課題を解決するための手段】
【０００８】
本発明の参照信号送信方法は、基地局装置からＳＲＳ（Sounding  Reference  Signal）の送信指示を含む上りスケジューリンググラントを送信するステップと、移動局装置から前記上りスケジューリンググラントに含まれるＳＲＳの送信指示に応じてＳＲＳを送信するステップと、を具備し、前記移動局装置は、前記上りリンクスケジューリンググラントで送信が指示されるＰＵＳＣＨ（Physical  Uplink  Shared  Channel）のサブフレーム、又は、該ＰＵＳＣＨのサブフレームから所定サブフレーム数だけ後のサブフレームを含み最も早いＳＲＳ送信可能なサブフレームで、ＳＲＳを送信することを特徴とする。
【００１０】
この方法によれば、上りリンクスケジューリンググラントに含まれるＳＲＳの送信指示に応じて移動局装置からＳＲＳが送信されることから、ＳＲＳが多重されるサブフレームを動的に制御することができるので、ＳＲＳの送信に用いられる無線リソースを効率的に使用することが可能となる。
【００１１】
本発明の移動局装置は、基地局装置からＳＲＳ（Sounding  Reference  Signal）の送信指示を含む上りスケジューリンググラントを受信する受信部と、前記上りリンクスケジューリンググラントで送信が指示されるＰＵＳＣＨ（Physical  Uplink  Shared  Channel）のサブフレーム、又は、該ＰＵＳＣＨのサブフレームから所定サブフレーム数だけ後のサブフレームを含み最も早いＳＲＳ送信可能なサブフレームで、ＳＲＳを送信する送信部と、を具備することを特徴とする。
【００１２】
この構成によれば、ＳＲＳの送信指示を含む上りリンクスケジューリンググラントの通知を受けた場合に限ってＳＲＳが送信されることから、ＳＲＳが多重されるサブフレームを動的に制御することができるので、ＳＲＳの送信に用いられる無線リソースを効率的に使用することが可能となる。
【００１３】
本発明の基地局装置は、ＳＲＳ（Sounding  Reference  Signal）の送信指示を含む上りスケジューリンググラントを移動局装置に送信する送信部と、前記送信指示に応じて前記移動局装置から送信されたＳＲＳを受信する受信部と、を具備し、
前記ＳＲＳは、前記上りリンクスケジューリンググラントで送信が指示されるＰＵＳＣＨ（Physical  Uplink  Shared  Channel）のサブフレーム、又は、該ＰＵＳＣＨのサブフレームから所定サブフレーム数だけ後のサブフレームを含み最も早いＳＲＳ送信可能なサブフレームで、前記移動局装置から送信されることを特徴とする。
【００１４】
この構成によれば、ＳＲＳの送信指示を含む上りリンクスケジューリンググラントが送信されることから、上りリンクスケジューリンググラントによりＳＲＳの送信を指示することができるので、ＳＲＳが多重されるサブフレームを動的に制御することができるので、ＳＲＳの送信に用いられる無線リソースを効率的に使用することが可能となる。
【発明の効果】
【００１５】
本発明によれば、ＳＲＳの送信に用いられる無線リソースを効率的に使用することができる参照信号送信方法、移動局装置及び基地局装置を提供することが可能となる。
【図面の簡単な説明】
【００１６】
【図１】ＬＴＥシステムにおけるＳＲＳの送信方法について説明するための図である。
【図２】本発明の第１の態様に係る参照信号送信方法で送信されるＳＲＳについて説明するための図である。
【図３】本発明の第２の態様に係る参照信号送信方法で送信されるＳＲＳについて説明するための図である。
【図４】本発明の第３の態様に係る参照信号送信方法で送信されるＳＲＳについて説明するための図である。
【図５】第４の態様に係る参照信号送信方法におけるＳＲＳが多重されたサブフレームを説明するための図である。
【図６】本発明の第４の態様に係る参照信号送信方法でＳＲＳが多重されるシンボルについて説明するための図である。
【図７】第１の態様に係る参照信号送信方法におけるＳＲＳが多重されたサブフレームを説明するための図である。
【図８】本発明の第５の態様に係る参照信号送信方法でＳＲＳが多重されるシンボルについて説明するための図である。
【図９】本発明の第６の態様に係る参照信号送信方法でＳＲＳが多重されるシンボルについて説明するための図である。
【図１０】本発明の第７の態様に係る参照信号送信方法でＳＲＳが多重されるシンボルについて説明するための図である。
【図１１】本発明の第８の態様に係る参照信号送信方法でＳＲＳが多重されるシンボルについて説明するための図である。
【図１２】本発明の一実施の形態に係る移動通信システムの構成を説明するための図である。
【図１３】上記実施の形態に係る移動局装置の全体構成を示すブロック図である。
【図１４】上記実施の形態に係る基地局装置の全体構成を示すブロック図である。
【図１５】上記実施の形態に係る移動局装置が有するベースバンド信号処理部の機能ブロック図である。
【図１６】上記実施の形態に係る基地局装置が有するベースバンド信号処理部の機能ブロック図である。
【図１７】本発明の第９の態様に係る参照信号送信方法でＳＲＳが多重されるシンボルについて説明するための図である。
【図１８】本発明の第１０の態様に係る参照信号送信方法でＳＲＳが多重されるシンボルについて説明するための図である。
【図１９】本発明の第１１の態様に係る参照信号送信方法で送信されるスケジューリンググラントについて説明するための図である。
【図２０】本発明の第１１の態様に係る参照信号送信方法で送信される送信電力情報及び拡張送信電力制御情報について説明するための図である。
【図２１】本発明の第１１の態様に係る参照信号送信方法で送信されるＳＲＳについて説明するための図である。
【図２２】本発明の変更例に係る移動局装置が有するベースバンド信号処理部の機能ブロック図である。
【図２３】本発明の変更例に係る基地局装置が有するベースバンド信号処理部の機能ブロック図である。
【発明を実施するための形態】
【００１７】
図１は、ＬＴＥシステムにおけるＳＲＳ（Sounding  Reference  Signal）の送信方法について説明するための図である。図１に示すように、ＬＴＥシステムにおいて、チャネル品質測定用のＳＲＳは、上りリンク（ＵＬ：Uplink）の無線フレームを構成するサブフレーム（サブフレーム＃ｎ〜＃ｎ＋９）の最終シンボルに多重され、５ｍｓｅｃ間隔で周期的に移動局装置ＵＥから基地局装置ｅＮｏｄｅＢに送信される。図１においては、サブフレーム＃ｎ＋１、＃ｎ＋６の最終シンボルにＳＲＳが多重された場合について示している。
【００１８】
一方、データチャネル信号（ＰＵＳＣＨ：Physical  Uplink  Shared  Channel）は、ＰＤＣＣＨ（Physical  Downlink  Control  Channel）で上りリンク（ＵＬ）スケジューリンググラントの通知を受けた後、４ＴＴＩ（Transmission  Time  Interval：伝送時間間隔）後に上りリンクで送信される。ここで、サブフレームは、誤り訂正符号化（チャネル符号化）された１データ・パケットの送信時間単位であり、１ＴＴＩに等しい。このため、ＵＬスケジューリンググラントの通知を受けると、４サブフレーム後にＰＵＳＣＨが送信される。図１においては、下りリンク（ＤＬ：Downlink）の無線フレームを構成するサブフレーム（サブフレーム＃ｍ〜＃ｍ＋９）のうち、サブフレーム＃ｍ〜＃ｍ＋２及び＃ｍ＋４でＵＬスケジューリンググラントが通知され、これらのＵＬスケジューリンググラントに応じて上りリンク（ＵＬ）のサブフレーム＃ｎ＋４〜＃ｎ＋６及び＃ｎ＋８でＰＵＳＣＨが送信される場合について示している。
【００１９】
図１に示すように、ＳＲＳは、各サブフレームで送信されるＰＵＳＣＨの有無とは無関係に送信されることから、仮にＵＬスケジューリンググラントの通知がなく、ＰＵＳＣＨが送信されない場合においても、上りリンク（ＵＬ）で周期的に基地局装置ｅＮｏｄｅＢに送信されることとなる。無線リソースを効率的に使用する観点からすると、基地局装置ｅＮｏｄｅＢにおけるチャネル品質測定を目的とするＳＲＳは、ＰＵＳＣＨが送信される場合に測定されることが好ましい。しかしながら、ＬＴＥシステムにおいては、ＰＵＳＣＨの有無とは無関係にＳＲＳの送信に用いられる無線リソースが固定的に使用されることから、無線リソースを効率的に使用することが困難となっている。本発明者らは、このようにＰＵＳＣＨの有無とは無関係にＳＲＳが送信されることで、無線リソースが無駄に使用されている点に着目し、本発明をするに至ったものである。
【００２０】
すなわち、本発明に係る参照信号送信方法においては、ＳＲＳを周期的に送信するのではなく、動的にＳＲＳの送信の有無を制御することで、ＳＲＳの送信に用いられる無線リソースの効率的な使用を図るものである。より具体的には、ＰＵＳＣＨの送信を指示するＵＬスケジューリンググラントによってＳＲＳの送信を移動局装置ＵＥに指示することで、ＳＲＳが多重されるサブフレームを動的に制御し、ＳＲＳの送信に用いられる無線リソースを効率的に使用することができるようにするものである。
【００２１】
本発明に係る参照信号送信方法は、基地局装置ｅＮｏｄｅＢからＰＤＣＣＨで通知するＵＬスケジューリンググラントに、移動局装置ＵＥにおけるＳＲＳの送信の有無（送信オン／オフ）を識別するための１ビット（以下、「送信識別ビット」という）を含める。移動局装置ＵＥにおいては、この送信識別ビットに応じて動的にＳＲＳの送信タイミングを制御する。これにより、ＵＬスケジューリンググラントの送信識別ビットに応じてＳＲＳが多重されるサブフレームを動的に制御することができるので、ＳＲＳの送信に用いられる無線リソースを効率的に使用することが可能となる。
【００２２】
本発明の第１の態様に係る参照信号送信方法は、基地局装置ｅＮｏｄｅＢにおいて、送信識別ビットに送信オンを示す「１」を割り当てるＵＬスケジューリンググラントを選択し、この選択したＵＬスケジューリンググラントによりＳＲＳの送信の有無を移動局装置ＵＥに指示し、移動局装置ＵＥにおいては、この送信識別ビットを含むＵＬスケジューリンググラントで送信が指示されるＰＵＳＣＨと同一のサブフレームでＳＲＳを送信する。
【００２３】
図２は、第１の態様に係る参照信号送信方法で送信されるＳＲＳについて説明するための図である。図２においては、基地局装置ｅＮｏｄｅＢにおいて、サブフレーム＃ｍ、＃ｍ＋４のＵＬスケジューリンググラントが、ＳＲＳの送信指示（すなわり、送信オンの送信識別ビット）を含むＵＬスケジューリンググラントに選択された場合について示している。ＳＲＳの送信指示を含むＵＬスケジューリンググラントの通知を受けると、移動局装置ＵＥにおいては、このＵＬスケジューリンググラントに応じて４サブフレーム後のサブフレーム＃ｎ＋４、＃ｎ＋８で送信するＰＵＳＣＨと共にＳＲＳを基地局装置ｅＮｏｄｅＢに送信する。
【００２４】
第１の態様に係る参照信号送信方法において、ＳＲＳは、送信指示を含むＵＬスケジューリンググラントで送信が指示されるＰＵＳＣＨと同一のサブフレームで送信されることから、サブフレーム＃ｎ＋４、＃ｎ＋８の最終シンボルに多重される。すなわち、ＳＲＳは、サブフレーム＃ｎ＋４、＃ｎ＋８に割り当てられたＰＵＳＣＨの後に連続して多重される。基地局装置ｅＮｏｄｅＢにおいては、このようにＰＵＳＣＨに連続して多重されるＳＲＳに基づいてチャネル品質を測定し、移動局装置ＵＥにおけるＰＵＳＣＨ送信のためのスケジューリングを行う。このため、実際にＰＵＳＣＨが送信されるタイミングにおけるチャネル品質を測定することができるので、実際のチャネル状態を反映してスケジューリングを行うことが可能となる。
【００２５】
なお、基地局装置ｅＮｏｄｅＢにおけるＳＲＳの送信指示を含むＵＬスケジューリンググラントは、先行して送信したＳＲＳの送信指示を含むＵＬスケジューリンググラントとの間隔の有無等を考慮して選択される。例えば、先行して送信した送信指示を含むＵＬスケジューリンググラントから一定の間隔（例えば、４ＴＴＩ）が経過している場合に次に送信されるＵＬスケジューリンググラントが、ＳＲＳの送信指示を含むＵＬスケジューリンググラントに選択される。なお、ＳＲＳの送信指示を含むＵＬスケジューリンググラントの選択方法については適宜変更が可能である。後述する第２、第３の態様に係る参照信号送信方法においても同様である。
【００２６】
本発明の第２の態様に係る参照信号送信方法は、基地局装置ｅＮｏｄｅＢにおいて、送信識別ビットに送信オンを示す「１」を割り当てるＵＬスケジューリンググラントを選択し、この選択したＵＬスケジューリンググラントによりＳＲＳの送信の有無を移動局装置ＵＥに指示し、移動局装置ＵＥにおいては、この送信識別ビットを含むＵＬスケジューリンググラントで送信が指示されるＰＵＳＣＨのサブフレームの直前のサブフレームでＳＲＳを送信する。
【００２７】
図３は、第２の態様に係る参照信号送信方法で送信されるＳＲＳについて説明するための図である。図３においては、図２と同様に、基地局装置ｅＮｏｄｅＢにおいて、サブフレーム＃ｍ、＃ｍ＋４のＵＬスケジューリンググラントが、ＳＲＳの送信指示を含むＵＬスケジューリンググラントに選択された場合について示している。ＳＲＳの送信指示を含むＵＬスケジューリンググラントの通知を受けると、移動局装置ＵＥにおいては、このＵＬスケジューリンググラントに応じてＰＵＳＣＨを送信するサブフレーム＃ｎ＋４、＃ｎ＋８の直前のサブフレーム＃ｎ＋３、＃ｎ＋７でＳＲＳを基地局装置ｅＮｏｄｅＢに送信する。
【００２８】
第２の態様に係る参照信号送信方法において、ＳＲＳは、送信指示を含むＵＬスケジューリンググラントで送信が指示されるＰＵＳＣＨのサブフレームの直前のサブフレームで送信されることから、サブフレーム＃ｎ＋３、＃ｎ＋７の最終シンボルに多重される。すなわち、ＳＲＳは、サブフレーム＃ｎ＋４、＃ｎ＋８に割り当てられたＰＵＳＣＨの前に連続して多重される。基地局装置ｅＮｏｄｅＢにおいては、このようにＰＵＳＣＨに連続して多重されるＳＲＳに基づいてチャネル品質を測定し、移動局装置ＵＥにおけるＰＵＳＣＨ送信のためのスケジューリングを行う。このため、実際にＰＵＳＣＨが送信されるタイミングにおけるチャネル品質を測定することができるので、チャネル状態を反映してスケジューリングを行うことが可能となる。
【００２９】
本発明の第３の態様に係る参照信号送信方法は、基地局装置ｅＮｏｄｅＢにおいて、送信識別ビットに送信オンを示す「１」を割り当てるＵＬスケジューリンググラントを選択し、この選択したＵＬスケジューリンググラントによりＳＲＳの送信の有無を移動局装置ＵＥに指示し、移動局装置ＵＥにおいては、この送信識別ビットを含むＵＬスケジューリンググラントで送信が指示されるＰＵＳＣＨのサブフレームの所定数だけ前のサブフレームでＳＲＳを送信する。
【００３０】
図４は、第３の態様に係る参照信号送信方法で送信されるＳＲＳについて説明するための図である。図４においては、図２、図３と同様に、基地局装置ｅＮｏｄｅＢにおいて、サブフレーム＃ｍ、＃ｍ＋４のＵＬスケジューリンググラントが、ＳＲＳの送信指示を含むＵＬスケジューリンググラントに選択された場合について示している。ＳＲＳの送信指示を含むＵＬスケジューリンググラントの通知を受けると、移動局装置ＵＥにおいては、このＵＬスケジューリンググラントに応じてＰＵＳＣＨを送信するサブフレーム＃ｎ＋４、＃ｎ＋８の所定数（ここでは、３サブフレーム）だけ前のサブフレーム＃ｎ＋１、＃ｎ＋５でＳＲＳを基地局装置ｅＮｏｄｅＢに送信する。
【００３１】
第３の態様に係る参照信号送信方法において、ＳＲＳは、送信指示を含むＵＬスケジューリンググラントで送信が指示されるＰＵＳＣＨのサブフレームの３サブフレーム前のサブフレームで送信されることから、サブフレーム＃ｎ＋１、＃ｎ＋５の最終シンボルに多重される。すなわち、ＳＲＳは、サブフレーム＃ｎ＋４、＃ｎ＋８に割り当てられたＰＵＳＣＨに先行して多重される。基地局装置ｅＮｏｄｅＢにおいては、このようにＰＵＳＣＨに先行して多重されるＳＲＳに基づいてチャネル品質を測定し、移動局装置ＵＥにおけるＰＵＳＣＨ送信のためのスケジューリングを行う。このため、実際にＰＵＳＣＨが送信されるタイミングと近似するタイミングでチャネル品質を測定することができると共に、後続する送信指示を含むＵＬスケジューリンググラントにスケジューリングの内容を反映することが可能となる。
【００３２】
図４に示す具体例を用いて説明すると、基地局装置ｅＮｏｄｅＢにおいては、移動局装置ＵＥから送信される、サブフレーム＃ｎ＋１の最終シンボルに多重されるＳＲＳに基づいてチャネル品質を測定し、そのチャネル品質の測定結果に基づいて移動局装置ＵＥにおけるＰＵＳＣＨ送信のためのスケジューリングを行う。ここでは、次にＳＲＳの送信指示を含むＵＬスケジューリンググラントが割り当てられるサブフレーム＃ｍ＋４に先行してスケジューリングを行うことができるので、このスケジューリングの内容をサブフレーム＃ｍ＋４のＵＬスケジューリンググラントに反映することができる。
【００３３】
なお、第３の態様に係る参照信号送信方法においては、移動局装置ＵＥにおいて、送信指示を含むＵＬスケジューリンググラントで送信が指示されるＰＵＳＣＨのサブフレームの所定数だけ前のサブフレームでＳＲＳを送信する場合について示しているが、送信指示を含むＵＬスケジューリンググラントで送信が指示されるＰＵＳＣＨのサブフレームの所定数だけ後のサブフレームでＳＲＳを送信することも可能である。このようにＳＲＳの送信タイミングに柔軟性を持たせることにより、ユーザ間干渉の調整等が可能となる。第３の態様に係る参照信号送信方法では、ＵＬスケジューリンググラントで送信が指示されるＰＵＳＣＨのサブフレームの所定数だけ前又は後のサブフレームでＳＲＳを送信するものである。
【００３４】
本発明の第４の態様に係る参照信号送信方法は、基地局装置ｅＮｏｄｅＢにおいて、送信識別ビットに送信オンを示す「１」を割り当てるＵＬスケジューリンググラントを選択し、この選択したＵＬスケジューリンググラントによりＳＲＳの送信の有無を移動局装置ＵＥに指示し、移動局装置ＵＥにおいては、この送信識別ビットを含むＵＬスケジューリンググラントで送信が指示されるＰＵＳＣＨのサブフレームの所定数だけ前のサブフレームを基準として、基準のサブフレームから最も早いＳＲＳ送信可能なサブフレームにおいてＳＲＳを送信する。
【００３５】
図５は、第４の態様に係る参照信号送信方法で送信されるＳＲＳについて説明するための図である。図５においては、図２、図３と同様に、基地局装置ｅＮｏｄｅＢにおいて、サブフレーム＃ｍ、＃ｍ＋４のＵＬスケジューリンググラントが、ＳＲＳの送信指示を含むＵＬスケジューリンググラントに選択された場合について示している。また、上りリンクは、ＳＲＳを送信可能なサブフレーム（＃ｎ＋１、＃ｎ＋４、＃ｎ＋７）が限定されている。報知情報、ＲＲＣ制御情報の送信に用いられるサブフレームはＳＲＳの送信が制限されるので、ＳＲＳを送信可能なサブフレームは予め限定される。図５に示す例では、下りリンクのサブフレーム＃ｍでＳＲＳの送信指示を含むＵＬスケジューリンググラントを受信し、そこから４サブフレーム空けてサブフレーム＃ｎ＋４でＰＵＳＣＨを送信する。かかるＰＵＳＣＨを送信するサブフレーム＃ｎ＋４からｘサブフレーム（同図ではｘ＝３）だけ前に戻ったサブフレーム＃ｎ＋１を基準とし、当該基準のサブフレーム＃ｎ＋１を含んで最も早いＳＲＳ送信可能なサブフレームでＳＲＳを送信する。図５に示す例では、基準のサブフレーム＃ｎ＋１が最も早いＳＲＳ送信可能なサブフレームである。また、下りリンクのサブフレーム＃ｍ＋４でＳＲＳの送信指示を含むＵＬスケジューリンググラントを受信し、そこから４サブフレーム空けてサブフレーム＃ｎ＋８でＰＵＳＣＨを送信する。かかるＰＵＳＣＨを送信するサブフレーム＃ｎ＋８から３サブフレームだけ前に戻ったサブフレーム＃ｎ＋５を基準とし、当該基準のサブフレーム＃ｎ＋５を含んで最も早いＳＲＳ送信可能なサブフレームでＳＲＳを送信する。図５に示す例では、基準のサブフレーム＃ｎ＋５はＳＲＳを送信可能なサブフレームではない。基準のサブフレーム＃ｎ＋５から最も早いＳＲＳ送信可能なサブフレームはサブフレーム＃ｎ＋７であるので、サブフレーム＃ｎ＋７でＳＲＳを送信する。
【００３６】
このように、基準のサブフレームから最も早いＳＲＳ送信可能なサブフレームにおいてＳＲＳを送信するといったルールを適用すれば、ＰＵＳＣＨを送るサブフレームから前に所定サブフレーム数だけ戻ったサブフレームで報知情報、ＲＲＣ制御情報を送信していたとしてもＳＲＳとの衝突を避けることができる。
【００３７】
これらの第１〜第４の態様に係る参照信号送信方法においては、ＳＲＳの送信指示を含むＵＬスケジューリンググラントに応じてＳＲＳが送信されるサブフレームが特定される（例えば、第１の態様に係る参照信号送信方法では４サブフレーム後のサブフレーム）。この場合において、ＳＲＳが送信されるサブフレームの特定方法としては、サブフレームの特定内容をＵＬスケジューリンググラントに含めるようにしても良いし、サブフレームの特定内容を移動局装置ＵＥに仕様により定めておき、ＵＬスケジューリンググラントの受信に応じて当該仕様により特定するようにしても良い。ＳＲＳが送信されるサブフレームをＵＬスケジューリンググラントに含む特定内容に応じて特定する場合には、第１〜第４の態様に係る参照信号送信方法を切り替えて適用することも可能である。
【００３８】
ところで、ＬＴＥシステムにおいては、同一シンボル内に複数の移動局装置ＵＥからのＳＲＳを多重するためのリソース情報（以下、「ＳＲＳ多重用情報」という）を、各移動局装置ＵＥにＲＲＣシグナリングにて通知している。このＳＲＳ多重用情報には、例えば、ＳＲＳを多重するサブフレームが奇数番目か偶数番目かを示す位置情報（Comb：１ビット）、ＳＲＳを符号多重する際に各移動局装置ＵＥに割り当てられるシフト量（cyclic  Shift：３ビット）、ＳＲＳを多重する対象となる帯域幅（Bandwidth：２ビット）、ＳＲＳを多重する周波数位置（Frequency  position：不定ビット）が含まれる。
【００３９】
動的にＳＲＳの送信タイミングを制御する本発明に係る参照信号送信方法においては、このようなＳＲＳ多重用情報をＵＬスケジューリンググラント（ＰＤＣＣＨ）で通知することが好ましい。しかしながら、ＳＲＳ多重用情報を全てＵＬスケジューリンググラントに含めて通知する場合には、ＵＬスケジューリンググラントに割り当てられる情報量が増大し、基地局装置ｅＮｏｄｅＢにおけるＵＬスケジューリンググラントの生成等の効率が悪化することが考えられる。このため、本発明に係る参照信号送信方法においては、ハイヤレイヤシグナリング（ＲＲＣシグナリング）とＵＬスケジューリンググラント（ＰＤＣＣＨ）とを併用してＳＲＳ多重用情報を通知する。
【００４０】
例えば、本発明に係る参照信号送信方法においては、ＳＲＳを多重するサブフレームの位置情報（Comb：１ビット）及びＳＲＳを多重する対象となる帯域幅（Bandwidth：２ビット）をＲＲＣシグナリングで通知する一方、各移動局装置ＵＥに割り当てられるシフト量（cyclic  Shift：３ビット）及びＳＲＳを多重する周波数位置（Frequency  position：不定ビット）をＵＬスケジューリンググラント（ＰＤＣＣＨ）で通知する。この場合には、ＵＬスケジューリンググラント（ＰＤＣＣＨ）に含まれるＳＲＳ多重用情報を、ＲＲＣシグナリングに含まれるＳＲＳ多重用情報よりも早く移動局装置ＵＥに通知することができ、当該ＳＲＳ多重用情報を利用する制御を移動局装置ＵＥで迅速に行うことが可能となる。なお、ＲＲＣシグナリング及びＵＬスケジューリンググラント（ＰＤＣＣＨ）に割り当てるＳＲＳ多重用情報については、特に限定されるものではなく適宜変更が可能である。
【００４１】
また、ハイヤレイヤシグナリングとＰＤＣＣＨとを併用してＳＲＳ多重用情報を通知する場合、ＰＤＣＣＨで送るＳＲＳ多重用情報はＰＤＣＣＨにおける他の制御ビットを利用して通知することが望ましい。他の制御ビットを利用する形態には、ＳＲＳ多重用情報を他の制御ビットに上書きすること、他の制御ビットをそのままＳＲＳ多重用情報として用いることの両方を含む。たとえば、ＲＲＣシグナリングを用いて、帯域幅（Bandwidth：２ビット）と周波数位置（Frequency  position：不定ビット）とを通知し、ＰＤＣＣＨを用いて、ＳＲＳの送信指示、サブフレームの位置情報（Comb：１ビット）及びシフト量（cyclic  Shift：３ビット）を通知する場合を例に説明する。ＳＲＳの送信指示はＰＤＣＣＨに確保した１ビットを用いる。残りのリソース情報であるサブフレームの位置情報（Comb：１ビット）とシフト量（cyclic  Shift：３ビット）は他の制御ビットに上書きする。または他の制御ビットをそのまま使用する。
【００４２】
図６にＰＤＣＣＨで送られるＵＬスケジューリンググラントのフォーマット構成（DCI  format  0)が示されている。図６（ａ）はＳＲＳの送信指示がＯＦＦの場合のフォーマットであり、同図（ｂ）はＳＲＳの送信指示がＯＮの場合のフォーマットである。図６（ａ）に示すように、DCI  format  0は、先頭１ビットがDCI  Format  １又はDCI  Format  0を識別するフラグである。第２ビットが上りリンク制御チャネルにおける周波数ホッピングの有無を示す制御ビットである。第３ビットから第９ビットはユーザに割当てたリソースブロック位置を示すリソースブロック割当て情報の制御ビットである。その後に割り当てたリソースブロックのＭＣＳ情報及び冗長化バージョン(RV)の制御ビットが配置され、新規データか再送データかを区別する識別子（New  data  indicator）が１ビット配置される。さらに、PUSCHの送信電力制御コマンド（TPC）、復調用リファレンスシグナルのサイクリックシフト（CS  for  DMRS）の制御ビットが配置され、CQIリクエストが配置されている。CQIリクエストに続いてパディングビットとして２ビット付加されている。パディングビットの１ビット目をＳＲＳの送信指示に用いている。この制御ビットが「０」であればＳＲＳ送信ＯＦＦであり、「１」であればＳＲＳ送信ＯＮである。図６（ｂ）に示すように、ＳＲＳの送信指示がＯＮの場合、パディングビットの１ビット目に「１」が設定される。サブフレームの位置情報（Comb：１ビット）は、周波数ホッピングの有無を示す制御ビット（第２ビット）に上書きする。シフト量（cyclic  Shift：３ビット）は、シフト量と同一ビット数である復調用リファレンスシグナルのサイクリックシフト（CS  for  DMRS）の制御ビットをそのまま使用する。言い換えれば、ＳＲＳ多重用のシフト量と復調用リファレンスシグナルのサイクリックシフト（CS  for  DMRS）とをリンクさせて両者を同一ビット値にする。このように、ＰＤＣＣＨで送るＳＲＳ多重用情報はＰＤＣＣＨにおける他の制御ビットを利用して通知することで、ＵＬスケジューリンググラント（DCI  format  0)のビット数が増大するのを防止できる。
【００４３】
また、第１〜第４の態様に係る参照信号送信方法において、ＳＲＳは、基地局装置ｅＮｏｄｅＢから通知されたＵＬスケジューリンググラントに応じて特定のサブフレームの最終シンボルに多重される。例えば、ＳＲＳは、図７に示すように、該当するサブフレームの最終シンボルに多重される。ＰＵＳＣＨは、移動局装置ＵＥに割り当てられたリソースブロック（ＮＲＢ）に多重される。ＤＭＲＳ（Demodulation  Reference  Signal）は、移動局装置ＵＥに割り当てられたリソースブロック（ＮＲＢ）における各スロットの第３シンボルに多重される。なお、図７においては、第１の態様に係る参照信号送信方法におけるＳＲＳが多重されたサブフレームについて示している。ここでは、第１の態様に係る参照信号送信方法を例に説明するが、第２、第３、第４の態様に係る参照信号送信方法についても同様である。
【００４４】
しかしながら、第１〜第４の態様に係る参照信号送信方法においては、ＳＲＳを多重できるシンボルがサブフレームの最終シンボルに限定されていることから、例えば、移動局装置ＵＥが在圏するセルの端部に位置する場合は、送信電力が不足して基地局装置ｅＮｏｄｅＢで適切にＳＲＳを受信することができない事態が発生し得る。このような事態に対応するため、本発明の第５〜第８に係る参照信号送信方法においては、最終シンボルとは異なる複数のシンボルにＳＲＳを多重する。
【００４５】
本発明の第５の態様に係る参照信号送信方法においては、該当するサブフレームのＤＭＲＳに重ねてＳＲＳを多重する。図８は、本発明の第５の態様に係る参照信号送信方法でＳＲＳが多重されるシンボルについて説明するための図である。図８に示すように、第５の参照信号送信方法においては、該当するサブフレームを構成する各スロットの第３シンボルにＳＲＳが多重され、ＤＭＲＳと同時に基地局装置ｅＮｏｄｅＢに送信される。なお、ＤＭＲＳに重ねたＳＲＳの多重は、例えば、ＤＭＲＳに対して直交する符号等を用いて実現することが可能である。
【００４６】
このように第５の態様に係る参照信号送信方法においては、ＳＲＳの送信指示を含むＵＬスケジューリンググラントで特定されるサブフレームにおいて、複数（２個）のＳＲＳが多重されて送信されることから、最終シンボルのみにＳＲＳを多重する場合と比べて基地局装置ｅＮｏｄｅＢで適切にＳＲＳを受信し易くなる。
【００４７】
本発明の第６の態様に係る参照信号送信方法においては、該当するサブフレームのＰＵＳＣＨに重ねてＳＲＳを多重する。図９は、本発明の第６の態様に係る参照信号送信方法でＳＲＳが多重されるシンボルについて説明するための図である。図９に示すように、第６の参照信号送信方法においては、該当するサブフレームを構成する各スロットの第３シンボル以外のシンボル及び該当するサブフレームの最終シンボルを除く全てのシンボルにＳＲＳが多重され、ＰＵＳＣＨと同時に基地局装置ｅＮｏｄｅＢに送信される。この場合、ＳＲＳは、ＰＵＳＣＨと比較して小さい送信電力で送信することが好ましい。
【００４８】
このように第６の態様に係る参照信号送信方法においては、ＳＲＳの送信指示を含むＵＬスケジューリンググラントで特定されるサブフレームにおいて、複数（１１個）のＳＲＳが多重されて送信されることから、最終シンボルのみにＳＲＳを多重する場合と比べて基地局装置ｅＮｏｄｅＢで適切にＳＲＳを受信し易くなる。また、ＳＲＳがＰＵＳＣＨに重ねて多重されることから、ＤＭＲＳに重ねて多重する場合と比べて基地局装置ｅＮｏｄｅＢにおけるチャネル品質の測定精度に影響を与え難くすることができる。
【００４９】
本発明の第７の態様に係る参照信号送信方法においては、該当するサブフレームのＤＭＲＳ及びＰＵＳＣＨに重ねてＳＲＳを多重する。すなわち、第５の態様に係る参照信号送信方法と、第６の態様に係る参照信号送信方法とを組み合わせた参照信号送信方法に相当する。図１０は、本発明の第７の態様に係る参照信号送信方法でＳＲＳが多重されるシンボルについて説明するための図である。図１０に示すように、第７の参照信号送信方法においては、該当するサブフレームの最終シンボルを除く全てのシンボルにＳＲＳが多重され、ＰＵＳＣＨ及びＤＭＲＳと同時に基地局装置ｅＮｏｄｅＢに送信される。
【００５０】
このように第７の態様に係る参照信号送信方法においては、ＳＲＳの送信指示を含むＵＬスケジューリンググラントで特定されるサブフレームにおいて、複数（１３個）のＳＲＳが多重されて送信されることから、最終シンボルのみにＳＲＳを多重する場合と比べて基地局装置ｅＮｏｄｅＢで適切にＳＲＳを受信し易くなる。特に、サブフレームの最終シンボルを除く全てのシンボルにＳＲＳが多重されることから、ＰＵＳＣＨのみ、或いは、ＤＭＲＳのみに重ねて多重する場合と比べて基地局装置ｅＮｏｄｅＢでＳＲＳを更に受信し易くすることが可能となる。
【００５１】
本発明の第８の態様に係る参照信号送信方法においては、該当するサブフレームにおいて、移動局装置ＵＥに割り当てられたリソースブロックとは異なるリソースブロックにＳＲＳを多重する。図１１は、本発明の第８の態様に係る参照信号送信方法でＳＲＳが多重されるシンボルについて説明するための図である。図１１に示すように、第８の参照信号送信方法においては、移動局装置ＵＥに割り当てられたリソースブロック（ＮＲＢ）とは異なるリソースブロック（ＮＲＢ´）のうち、サブフレームの最終シンボルを除く全てのシンボルにＳＲＳが多重され、ＰＵＳＣＨ及びＤＭＲＳと同時に基地局装置ｅＮｏｄｅＢに送信される。
【００５２】
このように第８の態様に係る参照信号送信方法においては、ＳＲＳの送信指示を含むＵＬスケジューリンググラントで特定されるサブフレームにおいて、複数（１３個）のＳＲＳが多重されて送信されることから、最終シンボルのみにＳＲＳを多重する場合と比べて基地局装置ｅＮｏｄｅＢで適切にＳＲＳを受信し易くなる。また、移動局装置ＵＥに割り当てられたリソースブロック（ＮＲＢ）とは異なるリソースブロック（ＮＲＢ´）にＳＲＳが多重されることから、ＰＵＳＣＨに重ねて多重される場合に比べてＰＵＳＣＨに対する干渉を抑制することが可能となる。
【００５３】
なお、これらのようにＳＲＳを多重するシンボルを動的に選択する場合、基地局装置ｅＮｏｄｅＢにおけるデータチャネル信号（ＰＵＳＣＨ）の復調精度の観点からＳＲＳを多重するシンボルを選択することもできる。一般に、データチャネル信号においては、サブフレームにおける端部のシンボルにおける復調精度が劣化する傾向がある。このため、このように復調精度が劣化するシンボルに、データチャネル信号とは無関係のＳＲＳを多重することが実施の形態として好ましい。以下、このようにＳＲＳを多重する態様について説明する。
【００５４】
本発明の第９の態様に係る参照信号送信方法においては、該当するサブフレームのうち、ＰＵＳＣＨの先頭シンボルにＳＲＳを多重する。図１７は、本発明の第９の態様に係る参照信号送信方法でＳＲＳが多重されるシンボルについて説明するための図である。図１７に示すように、第９の参照信号送信方法においては、該当するサブフレームの先頭シンボル（第０シンボル）のうち、移動局装置ＵＥに割り当てられたリソースブロック（ＮＲＢ）にＳＲＳが多重され、ＰＵＳＣＨと同時に基地局装置ｅＮｏｄｅＢに送信される。
【００５５】
このように第９の態様に係る参照信号送信方法においては、ＳＲＳの送信指示を含むＵＬスケジューリンググラントで特定されるサブフレームのうち、ＰＵＳＣＨの先頭シンボルにＳＲＳが多重されて送信される。このようにデータチャネル信号（ＰＵＳＣＨ）を送信する場合には、復調精度が劣化し得るシンボルにＳＲＳが多重されることから、データチャネル信号の復調精度の劣化を抑制しつつ、無線リソースを効率的に使用することができる。
【００５６】
本発明の第１０の態様に係る参照信号送信方法においては、該当するサブフレームのうち、ＰＵＳＣＨの先頭シンボルに重ねてＳＲＳを多重する。図１８は、本発明の第１０の態様に係る参照信号送信方法でＳＲＳが多重されるシンボルについて説明するための図である。図１８に示すように、第１０の参照信号送信方法においては、該当するサブフレームの先頭シンボル（第０シンボル）のうち、移動局装置ＵＥに割り当てられたリソースブロック（ＮＲＢ）を含む広帯域のリソースブロック（ＮＲＢ´´）にＳＲＳが多重され、ＰＵＳＣＨと同時に基地局装置ｅＮｏｄｅＢに送信される。
【００５７】
このように第１０の態様に係る参照信号送信方法においては、ＳＲＳの送信指示を含むＵＬスケジューリンググラントで特定されるサブフレームのうち、ＰＵＳＣＨの先頭シンボルにＳＲＳが多重されて送信される。このようにデータチャネル信号（ＰＵＳＣＨ）を送信する場合には、第９の態様に係る参照信号送信方法と同様に、データチャネル信号の復調精度の劣化を抑制しつつ、無線リソースを効率的に使用することができる。また、第１０の態様に係る参照信号送信方法においては、移動局装置ＵＥに割り当てられたリソースブロック（ＮＲＢ）を含む広帯域のリソースブロック（ＮＲＢ´´）に多重されたＳＲＳに基づいてチャネル品質を測定することができるので、チャネル品質の測定精度を向上することが可能となる。
【００５８】
以上の第１〜第１０の態様に係る参照信号送信方法においては、ＵＬスケジューリンググラントに含まれるＳＲＳの送信指示に応じて、移動局装置ＵＥからＳＲＳが送信される。しかしながら、第１１に係る参照信号送信方法で説明するように、ＵＬスケジューリンググラント以外のスケジューリンググラントに含まれるＳＲＳの送信指示に応じて、移動局装置ＵＥからＳＲＳが送信されてもよい。
【００５９】
第１１の態様に係る参照信号送信方法においては、ＳＲＳ用のスケジューリンググラントが設けられ、当該ＳＲＳ用のスケジューリンググラントに含まれるＳＲＳの送信指示に応じて、移動局装置ＵＥからＳＲＳが送信される。
【００６０】
図１９は、本発明の第１１の態様に係る参照信号送信方法で用いられるＳＲＳ用のスケジューリンググラント（Aperiodic  SRSグラントともいう）のフォーマット構成を説明するための図である。図１９（ａ）は、ＵＬスケジューリンググラントのフォーマット構成であり、図１９（ｂ）は、ＳＲＳ用のスケジューリンググラントのフォーマット構成である。図１９（ａ）のＵＬスケジューリンググラントは、図６（ａ）に示すＳＲＳの送信指示がオフである場合のＵＬスケジューリンググラントと同様の構成である。図１９（ｂ）に示すＳＲＳ用のスケジューリンググラントは、以下に詳述するように、ＳＲＳを送信するためのスケジューリング情報を移動局装置ＵＥに通知するものである。
【００６１】
図１９（ｂ）に示すように、ＳＲＳ用のスケジューリンググラントの第１〜第２ビットのＴｘＢＷ（TxBandwidth）は、ＳＲＳの送信帯域幅である。第３ビットから第７ビットのFrequency  positionは、ＳＲＳを送信する周波数位置である。第８ビットのCombは、ＳＲＳを送信するサブフレームの位置情報である。第９〜第１１ビットのＣＳ（Cyclic  shift）は、ＳＲＳのサイクリックシフトのシフト量である。第１２〜第１３ビットのHopping  BW（Bandwith）は、周波数ホッピングの帯域である。第１４ビット〜第１５ビットのDurationは、ＳＲＳの送信期間である。以上のようなＳＲＳを送信するためのリソース情報は、第１〜第１０の態様に係る参照情報送信方法においては、ＵＬスケジューリンググラントの情報量の制約上、原則ＲＲＣシグナリングにて通知される。第１１の態様に係る参照情報送信方法においては、ＳＲＳ用のスケジューリンググラントが設けられるため、ＳＲＳを送信するためのリソース情報をＰＤＣＣＨにより移動局装置ＵＥに通知できる。
【００６２】
また、図１９（ｂ）に示すように、ＳＲＳ用のスケジューリンググラントには、ＳＲＳだけでなくデータチャネル信号（ＰＵＳＣＨ）の送信を制御する送信制御情報（例えば、後述する拡張送信電力制御情報（Extended  TPC）や送信タイミング制御情報(TA)など）を含めることができる。なお、ＳＲＳ用のスケジューリンググラントには、後述する拡張送信電力制御情報（Extended  TPC）と送信タイミング制御情報（TA）のうちのいずれかが含まれてもよいし、双方が含まれてもよい。
【００６３】
図１９（ｂ）の第１６〜第１９ビットのExtended  TPCは、ＳＲＳ又は／及びデータチャネル信号（ＰＵＳＣＨ）の送信電力を拡張された制御範囲で制御するための拡張送信電力制御情報である。図２０は、拡張送信電力制御情報（Extended  TPC）を説明するための図である。図２０（ａ）は、図１９（ａ）のＵＬスケジューリンググラントに含まれる送信電力制御情報（TPC）の内容を示す。２ビットの送信電力制御情報（TPC）は、４段階で送信電力を増減する。一方、図２０（ｂ）は、図１９（ｂ）のＳＲＳ用のスケジューリンググラントに含まれる拡張送信電力制御情報（Extended  TPC）の内容を示す。４ビットの拡張送信電力制御情報（Extended  TPC）は、１６段階で送信電力を増減する。拡張送信電力制御情報（Extended  TPC）によれば、ビット数が２ビットから４ビットに拡張されているので、送信電力制御情報（TPC）よりも大きな制御範囲でＳＲＳ又は／及びデータチャネル信号（ＰＵＳＣＨ）の送信電力を制御することができる。なお、拡張送信電力制御情報（Extended  TPC）は、４ビットに限られるものではなく、３ビットであっても、５ビット以上であってもよい。
【００６４】
図１９（ｂ）の第２０〜第２３ビットのTA（Timing  Advance）は、ＳＲＳ又は／及びデータチャネル信号（ＰＵＳＣＨ）の送信タイミングを制御するための送信タイミング制御情報である。なお、送信タイミング制御情報（TA）は、通常、移動局装置ＵＥの初期アクセス時に基地局装置ｅＮｏｄｅＢから送信されるRACH  Responseに含まれるものである。かかる送信タイミング制御情報（TA）が、ＳＲＳ用のスケジューリンググラントによっても移動局装置ＵＥに通知されることにより、移動局装置ＵＥは、初期アクセス時からの時間経過によって生じる送信タイミング制御の誤差を防止できる。
【００６５】
図１９（ｂ）の第２４ビットは、ＳＲＳの送信指示に用いる制御ビットである。ＳＲＳ用のスケジューリンググラントにおいては、ＳＲＳの送信を要求することを示す「１」が設定される。
【００６６】
以上のように、図１９（ｂ）に示すＳＲＳ用のスケジューリンググラントには、ＳＲＳを送信するためのリソース情報に加えて、ＳＲＳだけでなくデータチャネル信号（ＰＵＳＣＨ）の送信を制御する送信制御情報を含めることができる。このようなＳＲＳ用のスケジューリンググラントによれば、移動局装置ＵＥがデータチャネル信号（ＰＵＳＣＨ）の送信を中断した後に再開する場合にも、データチャネル信号（ＰＵＳＣＨ）の送信電力及び送信タイミングを適切に設定できる。図２１を参照し、移動局装置ＵＥにおけるＳＲＳ用のスケジューリンググラントを用いたデータチャネル信号（ＰＵＳＣＨ）の送信電力制御及び送信タイミング制御について詳述する。
【００６７】
図２１は、第１１の態様に係る参照信号送信方法で送信されるＳＲＳ用のスケジューリンググラント（Aperiodic  SRSグラントともいう）を用いたデータチャネル信号（ＰＵＳＣＨ）の送信電力制御及び送信タイミング制御を説明するための図である。図２１に示すように、移動局装置ＵＥから上りリンクで送信されるデータチャネル信号（ＰＵＳＣＨ）が存在する場合、下りリンクにおいては、基地局装置ｅＮｏｄｅＢからＵＬスケジューリンググラントが送信される。移動局装置ＵＥは、ＵＬスケジューリンググラントに含まれる送信電力情報（TPC）に従って上りリンクでのデータチャネル信号（ＰＵＳＣＨ）の送信電力を制御する。図２１においては、ＵＬスケジューリンググラントが、下りリンクのサブフレーム＃ｍ〜＃ｍ＋２で移動局装置ＵＥに送信される。移動局装置ＵＥは、かかるＵＬスケジューリンググラントに含まれる送信電力情報（TPC）に従って、サブフレーム＃ｎ〜＃ｎ＋２で送信されるデータチャネル信号（ＰＵＳＣＨ）の送信電力を制御する。一方で、移動局装置ＵＥから上りリンクで送信されるデータチャネル信号（ＰＵＳＣＨ）の送信が中断された後で再開される場合に、データチャネル信号（ＰＵＳＣＨ）の送信電力や送信タイミングを適切に設定できない場合がある。
【００６８】
そこで、図２１に示すように、基地局装置ｅＮｏｄｅＢは、移動局装置ＵＥがデータチャネル信号（ＰＵＳＣＨ）の送信を再開しようとする場合、移動局装置ＵＥから受信したScheduling  Request（不図示）に応じて、ＳＲＳ用のスケジューリンググラントを移動局装置ＵＥに送信する。移動局装置ＵＥは、ＳＲＳ用スケジューリンググラントに含まれる拡張送信制御情報（Extended  TPC）や送信タイミング情報（TA）に従って、上りリンクでのデータチャネル信号（ＰＵＳＣＨ）の送信電力や送信タイミングを制御する。図２１においては、ＳＲＳ用のスケジューリンググラントが、下りリンクのサブフレーム＃ｍ＋ｓで移動局装置ＵＥに送信される。移動局装置ＵＥは、かかるＳＲＳ用のスケジューリンググラントに含まれる拡張送信電力制御情報（Extended  TPC）や送信タイミング情報（TA）に従って、サブフレーム＃ｎ＋ｓ＋３で送信が再開されるデータチャネル信号（ＰＵＳＣＨ）の送信電力や送信タイミングを制御する。ここで、拡張送信制御情報（Extended  TPC）や送信タイミング情報（TA）は、データチャネル信号（ＰＵＳＣＨ）の送信中断以降にも定期的に或いは送信指示に応じて送信されるＳＲＳによって適切な値に設定されている。さらに、拡張送信制御情報（Extended  TPC）は、送信電力の制御範囲が拡張されている。したがって、図２１に示すように、移動局装置ＵＥがデータチャネル信号（ＰＵＳＣＨ）送信を中断した後に再開しようとする場合であっても、移動局装置ＵＥは、送信電力や送信タイミングを適切に設定することができる。なお、移動局装置ＵＥは、下りリンクのサブフレーム＃ｍ＋ｓで送信されたＳＲＳ用のスケジューリンググラントにＳＲＳの送信指示が含まれているので、上りリンクのサブフレーム＃ｎ＋ｓでＳＲＳを送信する。
【００６９】
以下、本発明の実施の形態について、添付図面を参照して詳細に説明する。ここでは、ＬＴＥ−Ａ方式のシステム（ＬＴＥ−Ａシステム）に対応する基地局装置及び移動局装置を用いる場合について説明する。
【００７０】
図１２を参照しながら、本発明の一実施の形態に係る移動局装置（ＵＥ）１０及び基地局装置（ｅＮｏｄｅＢ）２０を有する移動通信システム１について説明する。図１２は、本発明の一実施の形態に係る移動局装置１０及び基地局装置２０を有する移動通信システム１の構成を説明するための図である。なお、図１２に示す移動通信システム１は、例えば、ＬＴＥシステム又はＳＵＰＥＲ  ３Ｇが包含されるシステムである。また、この移動通信システム１は、ＩＭＴ−Ａｄｖａｎｃｅｄと呼ばれても良いし、４Ｇと呼ばれても良い。
【００７１】
図１２に示すように、移動通信システム１は、基地局装置２０と、この基地局装置２０と通信する複数の移動局装置１０（１０１、１０２、１０３、・・・１０ｎ、ｎはｎ＞０の整数）とを含んで構成されている。基地局装置２０は、上位局装置３０と接続され、この上位局装置３０は、コアネットワーク４０と接続される。移動局装置１０は、セル５０において基地局装置２０と通信を行っている。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００７２】
各移動局装置（１０１、１０２、１０３、・・・１０ｎ）は、同一の構成、機能、状態を有するので、以下においては、特段の断りがない限り移動局装置１０として説明を進める。また、説明の便宜上、基地局装置２０と無線通信するのは移動局装置１０であるものとして説明するが、より一般的には移動局装置も固定端末装置も含むユーザ装置（ＵＥ：User  Equipment）でよい。
【００７３】
移動通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）又はクラスタ化DFT拡散OFDM（Clustered  DFT-Spread  OFDM）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。クラスタ化DFT拡散OFDMは、非連続的なクラスタ化されたサブキャリアのグループ（クラスタ）を１台の移動局UEに割り当て、各クラスタに離散フーリエ変換拡散OFDMを適用することにより、上りリンクの多元接続を実現する方式である。
【００７４】
ここで、ＬＴＥシステムにおける通信チャネルについて説明する。下りリンクについては、各移動局装置１０で共有されるＰＤＳＣＨと、下りＬ１／Ｌ２制御チャネル（ＰＤＣＣＨ、ＰＣＦＩＣＨ、ＰＨＩＣＨ）とが用いられる。このＰＤＳＣＨにより、ユーザデータ、すなわち、通常のデータ信号が伝送される。送信データは、このユーザデータに含まれる。なお、上述した送信識別ビットを含むＵＬスケジューリンググラントは、Ｌ１／Ｌ２制御チャネル（ＰＤＣＣＨ）により移動局装置１０に通知される。
【００７５】
上りリンクについては、各移動局装置１０で共有して使用されるＰＵＳＣＨと、上りリンクの制御チャネルであるＰＵＣＣＨとが用いられる。このＰＵＳＣＨにより、ユーザデータが伝送される。また、ＰＵＣＣＨにより、下りリンクの無線品質情報（ＣＱＩ:Channel  Quality  Indicator）等が伝送される。
【００７６】
図１３を参照しながら、本実施の形態に係る移動局装置１０の全体構成について説明する。ＬＴＥ端末もＬＴＥ−Ａ端末もハードウエアの主要部構成は同じであるので、区別せずに説明する。移動局装置１０は、送受信アンテナ１１と、アンプ部１２と、送受信部１３と、ベースバンド信号処理部１４と、アプリケーション部１５とを備えている。これらの送受信アンテナ１１と、アンプ部１２と、送受信部１３と、ベースバンド信号処理部１４の一部とで受信手段が構成される。
【００７７】
下りリンクのデータについては、送受信アンテナ１１で受信された無線周波数信号がアンプ部１２で増幅され、送受信部１３で周波数変換されてベースバンド信号に変換される。このベースバンド信号は、ベースバンド信号処理部１４でＦＦＴ処理や、誤り訂正復号、再送制御の受信処理等がなされる。この下りリンクのデータのうち、下りリンクのユーザデータは、アプリケーション部１５に転送される。アプリケーション部１５は、物理レイヤやＭＡＣレイヤより上位のレイヤに関する処理等を行う。また、下りリンクのデータのうち、報知情報も、アプリケーション部１５に転送される。
【００７８】
一方、上りリンクのユーザデータについては、アプリケーション部１５からベースバンド信号処理部１４に入力される。ベースバンド信号処理部１４においては、再送制御（Ｈ−ＡＲＱ（Hybrid  ARQ））の送信処理や、チャネル符号化、ＤＦＴ処理、ＩＦＦＴ処理等が行われて送受信部１３に転送される。送受信部１３においては、ベースバンド信号処理部１４から出力されたベースバンド信号を無線周波数帯に変換する周波数変換処理が施され、その後、アンプ部１２で増幅されて送受信アンテナ１１より送信される。
【００７９】
次に、図１４を参照しながら、本実施の形態に係る基地局装置２０の全体構成について説明する。基地局装置２０は、送受信アンテナ２１と、アンプ部２２と、送受信部２３と、ベースバンド信号処理部２４と、呼処理部２５と、伝送路インターフェース２６とを備えている。これらの送受信アンテナ２１と、アンプ部２２と、送受信部２３と、ベースバンド信号処理部２４の一部とで送信手段が構成される。
【００８０】
下りリンクにより基地局装置２０から移動局装置１０に送信されるユーザデータは、基地局装置２０の上位に位置する上位局装置３０から伝送路インターフェース２６を介してベースバンド信号処理部２４に入力される。
【００８１】
ベースバンド信号処理部２４において、ＰＤＣＰレイヤの処理、ユーザデータの分割・結合、ＲＬＣ（radio  link  control）再送制御の送信処理などのＲＬＣレイヤの送信処理、ＭＡＣ（Medium  Access  Control）再送制御、例えば、ＨＡＲＱ（Hybrid  Automatic  Repeat  reQuest）の送信処理、スケジューリング、伝送フォーマット選択、チャネル符号化、逆高速フーリエ変換（ＩＦＦＴ:Inverse  Fast  Fourier  Transform）処理、プリコーディング処理が行われる。また、下りリンク制御チャネルである物理下りリンク制御チャネルの信号に関しても、チャネル符号化や逆高速フーリエ変換等の送信処理が行われて、送受信部２３に転送される。
【００８２】
送受信部２３においては、ベースバンド信号処理部２４から出力されたベースバンド信号を無線周波数帯に変換する周波数変換処理が施され、その後、アンプ部２２で増幅されて送受信アンテナ２１より送信される。
【００８３】
一方、上りリンクにより移動局装置１０から基地局装置２０に送信される信号については、送受信アンテナ２１で受信された無線周波数信号がアンプ部２２で増幅される。そして、送受信部２３で周波数変換されてベースバンド信号に変換された後、ベースバンド信号処理部２４に入力される。
【００８４】
ベースバンド信号処理部２４においては、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース２０６を介して上位局装置３０に転送される。
【００８５】
呼処理部２５は、通信チャネルの設定や解放等の呼処理や、基地局装置２０の状態管理や、無線リソースの管理を行う。
【００８６】
図１５は、本実施の形態に係る移動局装置１０が有するベースバンド信号処理部１４の機能ブロック図である。なお、図１５に示すベースバンド信号処理部１４においては、説明の便宜上、本発明に係る参照信号送信方法に関連する構成のみを示しているが、通常のベースバンド処理部が備える構成について備えているものとする。また、以下においては、本発明に係る参照信号送信方法にて動的に送信タイミングが制御されるＳＲＳを「Dynamic  SRS」と呼び、動的に制御されることなく周期的に送信されるＳＲＳ（すなわち、ＬＴＥシステムにおけるＳＲＳ）を「Semi-static  SRS」と呼ぶものとする。
【００８７】
基地局装置２０から下りリンクで送信された上りスケジューリンググラントは、スケジューリンググラント復調・復号部１４０に入力されて復調、復号される。そして、上りスケジューリンググラントの復調、復号結果は、後述するデータチャネル信号生成部１４６、ＰＵＳＣＨマッピング部１４８に出力される。なお、ＵＬスケジューリンググラントには、上りリンクのリソースブロックの割り当て情報、移動局装置１０のＩＤ、データサイズ、変調方式、上りリンクの送信電力情報、ＤＭＲＳの情報が含まれる。本発明の第４の態様に係る参照信号送信方法においては、図６（ａ）又は（ｂ）に示すフォーマット構成のＵＬスケジューリンググラントが復号される。このとき、ＳＲＳの送信指示が「０」（ＯＦＦ）であるか「１」（ＯＮ）であるかで、一部の制御ビットの解釈が切り替えられる。ＳＲＳの送信指示が「０」（ＯＦＦ）の場合は、ＬＴＥと同じ解釈で制御ビットを認識する。一方、ＳＲＳの送信指示が「１」（ＯＮ）の場合は、ＬＴＥでＤＭＲＳのシフト量を示し制御ビットを、ＳＲＳのシフト量（cyclic  Shift：３ビット）を表す制御ビットとして解釈する。
【００８８】
ＵＬスケジューリンググラントの復調、復号の結果、ＵＬスケジューリンググラントにDynamic  SRSの送信指示が含まれる場合には、その旨がDynamic  SRS信号生成部１４１に通知される。なお、ＵＬスケジューリンググラントにおけるDynamic  SRSの送信指示の有無は、上述した送信識別ビットの有無により判断される。また、ＵＬスケジューリンググラントにＳＲＳ多重用情報が含まれる場合には、このＳＲＳ多重用情報がDynamic  SRSマッピング部１４２に出力される。なお、ＲＲＣシグナリングによりＳＲＳ多重用情報が通知された場合には、このＳＲＳ多重用情報もDynamic  SRSマッピング部１４２に出力される。本発明の第４の態様に係る参照信号送信方法においては、ＳＲＳを送信可能なサブフレーム情報が事前にＲＲＣシグナリングされ、Dynamic  SRSマッピング部１４２に与えられる。
【００８９】
一方、Dynamic  SRSの送信指示が含まれないＵＬスケジューリンググラント、すなわち、ＬＴＥシステムにおけるＵＬスケジューリンググラントを受信した場合には、その旨がSemi-static  SRS信号生成部１４３に通知される。また、ＲＲＣシグナリングによりＳＲＳ多重用情報が通知された場合には、このＳＲＳ多重用情報がSemi-static  SRSマッピング部１４４に出力される。
【００９０】
Dynamic  SRS信号生成部１４１は、ＵＬスケジューリンググラントに含まれる送信指示に応じてDynamic  SRSを生成する。Dynamic  SRSマッピング部１４２は、ＵＬスケジューリンググラントで通知されるＳＲＳ多重用情報又はＲＲＣシグナリングにより通知されるＳＲＳ多重用情報に基づいて、Dynamic  SRS信号生成部１４１で生成されたDynamic  SRSを無線リソースにマッピングする。このDynamic  SRSマッピング部１４２は、多重手段を構成するものである。Dynamic  SRSマッピング部１４２により無線リソースにマッピングされることにより、所定のシンボルにDynamic  SRSが多重される。そして、無線リソースにマッピングされたDynamic  SRSは、逆高速フーリエ変換部（ＩＦＦＴ）１４５に出力される。
【００９１】
例えば、第１の態様に係る参照信号送信方法に従ってDynamic  SRSが生成される場合には、送信指示を含むＵＬスケジューリンググラントで送信が指示されるＰＵＳＣＨと同一のサブフレームの最終シンボルにDynamic  SRSが多重される。また、第２の態様に係る参照信号送信方法に従ってDynamic  SRSが生成される場合には、送信指示を含むＵＬスケジューリンググラントで送信が指示されるＰＵＳＣＨのサブフレームの直前のサブフレームの最終シンボルにDynamic  SRSが多重される。さらに、第３の態様に係る参照信号送信方法に従ってDynamic  SRSが生成される場合には、送信指示を含むＵＬスケジューリンググラントで送信が指示されるＰＵＳＣＨのサブフレームの所定数だけ前のサブフレームの最終シンボルにDynamic  SRSが多重される。また、第４の態様に係る参照信号送信方法に従ってDynamic  SRSが生成される場合には、送信指示を含むＵＬスケジューリンググラントで送信が指示されるＰＵＳＣＨのサブフレームの所定数だけ前（または後）のサブフレームを基準とし、その基準サブフレームから最も早いＳＲＳ送信可能なサブフレームの最終シンボルにDynamic  SRSが多重される。ＳＲＳ送信可能なサブフレームは、事前にＲＲＣシグナリングされる。
【００９２】
また、第５の態様に係る参照信号送信方法に従ってDynamic  SRSが生成される場合には、該当するサブフレームのＤＭＲＳに重ねてDynamic  SRSが多重される。さらに、第６の態様に係る参照信号送信方法に従ってDynamic  SRSが生成される場合には、該当するサブフレームのＰＵＳＣＨに重ねてDynamic  SRSが多重される。さらに、第７の態様に係る参照信号送信方法に従ってDynamic  SRSが生成される場合には、該当するサブフレームのＰＵＳＣＨ及びＤＭＲＳに重ねてDynamic  SRSが多重される。さらに、第８の態様に係る参照信号送信方法に従ってDynamic  SRSが生成される場合には、該当するサブフレームにおける移動局装置１０に割り当てられたリソースブロックと異なるリソースブロックにDynamic  SRSが多重される。さらに、第９の態様に係る参照信号送信方法に従ってDynamic  SRSが生成される場合には、該当するサブフレームのＰＵＳＣＨの先頭シンボルにDynamic  SRSが多重される。さらに、第１０の態様に係る参照信号送信方法に従ってDynamic  SRSが生成される場合には、該当するサブフレームのＰＵＳＣＨの先頭シンボルに重ねてDynamic  SRSが多重される。
【００９３】
Semi-static  SRS信号生成部１４３は、ＵＬスケジューリンググラントに応じてSemi-static  SRSを生成する。Semi-static  SRSマッピング部１４４は、ＲＲＣシグナリングにより通知されるＳＲＳ多重用情報に基づいてSemi-static  SRSをマッピングする。この場合、Semi-static  SRSは、ＵＬスケジューリンググラントの通知を受けた後、４サブフレーム後のサブフレームの最終シンボルにマッピングされる。そして、無線リソースにマッピングされたSemi-static  SRSは、逆高速フーリエ変換部（ＩＦＦＴ）１４５に出力される。
【００９４】
一方、上位レイヤから指示された送信データは、データチャネル信号生成部１４６に入力される。データチャネル信号生成部１４６においては、上りスケジューリンググラントに含まれる情報に基づいて上りリンクのデータチャネル信号（ＰＵＳＣＨ）を生成する。データチャネル信号は、不図示のチャネル符号・変調部でチャネル符号化され、変調された後、離散フーリエ変換部（ＤＦＴ：Discrete  Fourier  Transform）１４７に出力される。そして、ＤＦＴ部１４７にて離散フーリエ変換され、時系列の信号から周波数領域の信号に変換された後、ＰＵＳＣＨマッピング部１４８に出力される。
【００９５】
ＰＵＳＣＨマッピング部１４８においては、上りスケジューリンググラントに含まれるリソースブロックの割り当て情報に基づいてデータチャネル信号（ＰＵＳＣＨ）のマッピングを行う。そして、マッピングが行われたデータチャネル信号（ＰＵＳＣＨ）は、逆高速フーリエ変換部（ＩＦＦＴ）１４５に出力される。
【００９６】
ＩＦＦＴ部１４５において、ＰＵＳＣＨマッピング部１４８からのデータチャネル信号と、Semi-static  SRSマッピング部１４４からのSemi-static  SRS又はDynamic  SRSマッピング部１４２からのDynamic  SRSとは、逆高速フーリエ変換されて周波数領域の信号から時系列の信号に変換された後、サイクリックプレフィックス付加部１４９に出力される。サイクリックプレフィックス付加部１４９においては、時系列の送信信号にサイクリックプレフィックスを付加する。サイクリックプレフィックスが付加された送信信号は、送受信部１３に出力される。送受信部１３に入力された送信信号は、アンプ部１２、送受信アンテナ１１を介して上りリンクで基地局装置２０に送信される。
【００９７】
このように本実施の形態に係る移動局装置１０においては、Dynamic  SRSの送信指示を含むＵＬスケジューリンググラントに応じて特定のサブフレームにDynamic  SRSを多重するようにしたことから、Dynamic  SRSが多重されるサブフレームを動的に制御することできるので、ＰＵＳＣＨの有無とは無関係にＳＲＳが周期的にサブフレームに多重される場合と比べて、Dynamic  SRSの送信に用いられる無線リソースを効率的に使用することが可能となる。
【００９８】
図１６は、本実施の形態に係る基地局装置２０が有するベースバンド信号処理部２４の機能ブロック図である。なお、図１６に示すベースバンド信号処理部２４においては、説明の便宜上、本発明に係る参照信号送信方法に関連する構成のみを示しているが、通常のベースバンド処理部が備える構成について備えているものとする。
【００９９】
ベースバンド信号処理部２４に入力した受信信号は、当該受信信号に付加されたサイクリックプレフィックスがＣＰ除去部２４０で除去された後、高速フーリエ変換部（ＦＦＴ）２４１でフーリエ変換されて周波数領域の信号に変換される。周波数領域の信号に変換された受信信号のうち、ＰＵＳＣＨに関する受信信号は、ＰＵＳＣＨデマッピング部２４２に出力され、ＰＵＳＣＨデマッピング部２４２にて周波数領域でデマッピングされる。
【０１００】
ＰＵＳＣＨデマッピング部２４２でデマッピングされた受信信号は、逆離散フーリエ変換部（ＩＤＦＴ）２４５に出力される。逆離散フーリエ変換部（ＩＤＦＴ）２４５においては、この受信信号に逆離散フーリエ変換処理を施して周波数領域の信号を時間領域の信号に戻す。そして、時間領域の信号とされた受信信号が、データチャネル復調・復号部２４６にて、伝送フォーマット（符号化率、変調方式）に基づいて復調、復号されて受信データが再生される。
【０１０１】
一方、高速フーリエ変換部２４１で周波数領域の情報に変換された受信信号のうち、Semi-static  SRSに関する受信信号は、Semi-static  SRSデマッピング部２４３に出力され、Dynamic  SRSに関する受信信号は、Dynamic  SRSデマッピング部２４４に出力される。この場合、Semi-static  SRSに関する受信信号は、通信対象となる移動局装置１０がＬＴＥ端末である場合に受信される。一方、Dynamic  SRSに関する受信信号は、通信対象となる移動局装置１０が、本発明に係る参照信号送信方法が適用されたＬＴＥ−Ａ端末である場合に受信される。
【０１０２】
Semi-static  SRSに関する受信信号は、Semi-static  SRSデマッピング部２４３にて周波数領域でデマッピングされ、上りリンクチャネル品質測定部２４７に出力される。同様に、Dynamic  SRSに関する受信信号は、Dynamic  SRSデマッピング部２４４にて周波数領域でデマッピングされる。本発明の第４の態様に係る参照信号送信方法においては、ＳＲＳを送信可能なサブフレーム情報がDynamic  SRSデマッピング部２４４に与えられ、ＳＲＳを送信可能なサブフレームに多重されているＳＲＳをデマッピングする。デマッピングされたＳＲＳは上りリンクチャネル品質測定部２４７に出力される。上りリンクチャネル品質測定部２４７は、周波数領域でデマッピングされたSemi-static  SRS又はDynamic  SRSに関する受信信号に基づいて上りリンクのチャネル品質を測定する。
【０１０３】
測定されたチャネル品質情報は、上りリンクスケジューラ２４８に出力される。上りリンクスケジューラ２４８においては、このチャネル品質情報に基づいて、移動局装置１０からＰＵＳＣＨを送信するためのスケジューリングを行う。上りリンクスケジューラ２４８で決定されたスケジューリング情報は、スケジューリンググラント信号生成部２４９に出力される。
【０１０４】
例えば、第１、第２の態様に係る参照信号送信方法に従ってDynamic  SRSが移動局装置１０から送信された場合には、上りリンクチャネル品質測定部２４７にてＰＵＳＣＨに連続して多重されるDynamic  SRSに基づいてチャネル品質が測定され、その測定結果に基づいて上りリンクスケジューラ２４８にてスケジューリングが行われる。このため、実際にＰＵＳＣＨが送信されるタイミングにおけるチャネル品質を測定することができるので、実際のチャネル状態を反映してスケジューリングを行うことが可能となる。
【０１０５】
また、第３の態様に係る参照信号送信方法に従ってDynamic  SRSが移動局装置１０から送信された場合には、上りリンクチャネル品質測定部２４７にてＰＵＳＣＨに先行して多重されるDynamic  SRSに基づいてチャネル品質が測定され、その測定結果に基づいて上りリンクスケジューラ２４８にてスケジューリングが行われる。このため、実際にＰＵＳＣＨが送信されるタイミングと近似するタイミングでチャネル品質を測定することができると共に、後続する送信指示を含むＵＬスケジューリンググラントにスケジューリングの内容を反映することが可能となる。しかも、第４の態様に係る参照信号送信方法に従ってDynamic  SRSが移動局装置１０から送信された場合には、報知情報、ＲＲＣ制御情報等と衝突しない予め限定されているサブフレームでのみＳＲＳが送られるので、ＳＲＳと報知情報、ＲＲＣ制御情報等との衝突を確実に防止できる。
【０１０６】
さらに、第５〜第８の態様に係る参照信号送信方法に従ってDynamic  SRSが移動局装置１０から送信された場合には、上りリンクチャネル品質測定部２４７にて複数のシンボルに多重されるDynamic  SRSに基づいてチャネル品質が測定され、その測定結果に基づいて上りリンクスケジューラ２４８にてスケジューリングが行われる。このため、最終シンボルのみにＳＲＳを多重する場合と比べて基地局装置２０で適切にDynamic  SRSを受信することができ、このDynamic  SRSに基づいて適切にスケジューリングを行うことが可能となる。
【０１０７】
さらに、第９、第１０の態様に係る参照信号送信方法に従ってDynamic  SRSが移動局装置１０から送信された場合には、上りリンクチャネル品質測定部２４７にて、データチャネル信号が送信された場合には復調精度が劣化し得るシンボルに多重されるDynamic  SRSに基づいてチャネル品質が測定され、その測定結果に基づいて上りリンクスケジューラ２４８にてスケジューリングが行われる。このため、データチャネル信号の復調精度の劣化を抑制しつつ、無線リソースを効率的に使用することが可能となる。特に、第１０の態様に係る参照信号送信方法に従ってDynamic  SRSが移動局装置１０から送信された場合には、移動局装置１０に割り当てられたリソースブロック（ＮＲＢ）を含む広帯域のリソースブロック（ＮＲＢ´´）に多重されたＳＲＳに基づいてチャネル品質を測定することができるので、チャネル品質の測定精度を向上することが可能となる。
【０１０８】
スケジューリンググラント信号生成部２４９は、生成手段を構成するものであり、上りリンクスケジューラ２４８から入力されたスケジューリング情報に基づいて、Dynamic  SRSの送信指示（送信識別ビット）を含むＵＬスケジューリンググラント信号を生成する。また、スケジューリンググラント信号生成部２４９は、通信対象となる移動局装置１０がＬＴＥシステムに対応する端末である場合には、Dynamic  SRSの送信指示（送信識別ビット）を含まないＵＬスケジューリンググラント信号を生成する。さらに、スケジューリンググラント信号生成部２４９は、ＳＲＳ多重用情報の一部をＵＬスケジューリンググラント信号に含めることができる。本発明の第４の態様に係る参照信号送信方法においては、図６（ａ）又は（ｂ）に示すフォーマットで示すＵＬスケジューリンググラントを生成する。スケジューリンググラント信号生成部２４９により生成されたＵＬスケジューリンググラント信号は、送受信部２３、アンプ部２２及び送受信アンテナ２１を介して下りリンクにて移動局装置１０に送信される。なお、これらの総氏受信部２３、アンプ部２２及び送受信アンテナ２１により送信手段が構成される。
【０１０９】
このように本実施の形態に係る基地局装置２０においては、Dynamic  SRSの送信指示を含むＵＬスケジューリンググラントを移動局装置１０に送信するようにしたことから、ＵＬスケジューリンググラントによりDynamic  SRSの送信を指示することができるので、Dynamic  SRSが多重されるサブフレームを動的に制御することができ、ＳＲＳの送信に用いられる無線リソースを効率的に使用することが可能となる。
【０１１０】
また、送信指示を含むＵＬスケジューリンググラントに応じて特定のサブフレームに多重されたDynamic  SRSに基づいてチャネル品質を測定し、移動局装置１０におけるＰＵＳＣＨ送信のためのスケジューリングを行うようにしたことから、実際にＰＵＳＣＨが送信されるタイミング、或いは、これに近いタイミングにおけるチャネル品質を測定することができるので、実際のチャネル状態を反映してスケジューリングを行うことが可能となる。
【０１１１】
さらに、特定のサブフレームにおける複数のシンボルにDynamic  SRSが多重される場合には、最終シンボルのみにＳＲＳが多重される場合と比べて基地局装置２０で適切にDynamic  SRSを受信することができるので、このDynamic  SRSに基づいてチャネル品質に対応した高精度のスケジューリングを行うことが可能となる。
【０１１２】
次に、本発明の実施の形態の変更例について、上述の実施の形態との相違点を中心に説明する。本変更例は、第１１の態様に係る参照信号送信方法で送信されるＳＲＳ用のスケジューリンググラントを用いたデータチャネル信号（ＰＵＳＣＨ）の送信電力制御及び送信タイミング制御に係るものである。なお、本変更例においては、動的に送信タイミングが制御されるＳＲＳを「Aperiodic  SRS」と呼び、動的に制御されることなく周期的に送信されるＳＲＳを「Periodic  SRS」と呼ぶものとする。「Aperiodic  SRS」は上述の実施の形態の「Dynamic  SRS」と同じであってもよく、「Periodic  SRS」は上述の実施の形態の「Semi-static  SRS」と同じであってもよい。また、本変更例においては、第１１の態様に係る参照信号送信方法で送信されるＳＲＳ用のスケジューリンググラントを「Aperidic  SRSグラント」と呼ぶものとする。
【０１１３】
図２２は、変更例に係る移動局装置１０が有するベースバンド信号処理部１４の機能ブロック図である。なお、図２２に示すベースバンド信号処理部１４においては、説明の便宜上、本発明の第１１の態様に係る参照信号送信方法に関連する構成のみを示しているが、通常のベースバンド処理部が備える構成について備えているものとする。
【０１１４】
図２２に示すように、スケジューリンググラント復調・復号部１４００は、基地局装置２０から送信されたスケジューリンググラントを復調及び復号する。具体的には、スケジューリンググラント復調・復号部１４００は、復調したスケジューリンググラントにAperiodic  SRSの送信指示が含まれるか否かによってスケジューリンググラントの解釈方法を切り替える。
【０１１５】
例えば、スケジューリンググラント復調・復号部１４００は、復調及び復号されたスケジューリンググラントにAperiodic  SRSの送信指示が含まれない場合（すなわち、図１９（ａ）に示すように「Aperiodic  SRS  request」が「０」に設定されている場合）で、かつ、先頭ビットで示されるＤＣＩフォーマットが「０」である場合、スケジューリンググラントを図１９（ａ）に示すＵＬスケジューリンググラントとして解釈し、無線リソース割り当て情報（Resource  block  assignment  and  hopping  resource  allocation）や、変調・符号化方式情報（MCS  and  RV）や、再送情報（NDI）、送信電力制御情報（TPC）などを取得する。スケジューリンググラント復調・復号部１４００は、取得した変調・符号化方式情報（MCS  and  RV）や再送情報（NDI）をデータチャネル信号生成部１４０６に入力し、無線リソース割り当て情報（Resource  block  assignment  and  hopping  resource  allocation）をＰＵＳＣＨマッピング部１４０８に入力し、送信電力制御情報（TPC）を送信電力制御部１４１１に入力する。
【０１１６】
一方、スケジューリンググラント復調・復号部１４００は、復調及び復号されたスケジューリンググラントにAperiodic  SRSの送信指示が含まれる場合（すなわち、図１９（ｂ）に示すように「Aperiodic  SRS  request」が「１」に設定されている場合）、スケジューリンググラントを図１９（ｂ）に示すAperiodic  SRSグラントとして解釈し、送信帯域幅（TxBW）、周波数位置（Frequency  Position）、サブフレームの位置情報（Comb）、サイクリックシフト量（CS）、拡張送信電力制御情報（Extended  TPC）、送信タイミング制御情報（TA）などを取得する。スケジューリンググラント復調・復号部１４００は、サイクリックシフト量(CS)をAperiodic  SRS信号生成部１４０１に出力し、送信帯域幅（TxBW）、周波数位置（Frequency  Position）、サブフレームの位置情報（Comb）などをAperiodic  SRSマッピング部１４０２に出力し、送信タイミング制御情報（TA）を送信タイミング制御部１４１０に出力し、拡張送信電力制御情報（Extended  TPC）を送信電力制御部１４１１に出力する。
【０１１７】
Aperiodic  SRS信号生成部１４０１は、スケジューリンググラント復調・復号部１４００からAperiodic  SRSグラントに含まれるサイクリックシフト量(CS)などが入力された場合、Aperiodic  SRSを生成する。
【０１１８】
Aperiodic  SRSマッピング部１４０２は、スケジューリンググラント復調・復号部１４００から入力されたAperiodic  SRSグラントに含まれる情報に従って、Aperiodic  SRS信号生成部１４０１で生成されたAperiodic  SRSを無線リソースにマッピングする。Aperiodic  SRSマッピング部１４０２は、無線リソースにマッピングされたAperiodic  SRSを逆高速フーリエ変換（ＩＦＦＴ：Inverse  Fast  Fourier  Transform）部１４０５に出力する。
【０１１９】
Periodic  SRS信号生成部１４０３は、所定周期でPeriodic  SRSを生成する。Periodic  SRSマッピング部１４０４は、Periodic  SRS信号生成部１４０３で生成されたPeriodic  SRSを無線リソースにマッピングする。Periodic  SRSマッピング部１４０４は、無線リソースにマッピングされたPeriodic  SRSをＩＦＦＴ部１４０５に出力する。
【０１２０】
データチャネル信号生成部１４０６は、スケジューリンググラント復調・復号部１４００から入力されたＵＬスケジューリンググラントに含まれる情報に基づいて、上位レイヤから入力された送信データを送信するための上りリンクのデータチャネル信号（ＰＵＳＣＨ）を生成し、生成したデータチャネル信号を離散フーリエ変換（ＤＦＴ：Discrete  Fourier  Transform）部１４０７に出力する。
【０１２１】
ＤＦＴ部１４０７は、データチャネル信号生成部１４０６から入力されたデータチャネル信号（ＰＵＳＣＨ）についての離散フーリエ変換処理を行う。ＤＦＴ部１４０７は、時間領域から周波数領域に変換されたデータチャネル信号をＰＵＳＣＨマッピング部１４０８に出力する。
【０１２２】
ＰＵＳＣＨマッピング部１４０８は、スケジューリンググラント復調・復号部１４００から入力されたＵＬスケジューリンググラントによって指示された無線リソースに、ＤＦＴ部１４０７から入力されたデータチャネル信号をマッピングする。ＰＵＳＣＨマッピング部１４０８は、無線リソースにマッピングされたデータチャネル信号をＩＦＦＴ部１４０５に出力する。
【０１２３】
ＩＦＦＴ部１４０５は、ＰＵＳＣＨマッピング部１４０８から入力されたデータチャネル信号と、Periodic  SRSマッピング部１４０４から入力されたPeriodic  SRSと、Aperiodic  SRSマッピング部１４０２から入力されたAperiodic  SRSとについての逆高速フーリエ変換処理を行う。ＩＦＦＴ部１４０５は、周波数領域から時間領域に変換されたデータチャネル信号（ＰＵＳＣＨ）、Periodic  SRS又はAperiodic  SRSを、送信信号としてＣＰ（Cyclic  Prefix）付加部１４０９に出力する。
【０１２４】
ＣＰ付加部１４０９は、ＩＦＦＴ部１４０５から入力された時間領域の送信信号にサイクリックプリフィクスを付加し、送信タイミング制御部１４１０に出力する。
【０１２５】
送信タイミング制御部１４１０は、送信タイミング制御情報（TA）に従って、ＣＰ付加部１４０９から出力された送信信号の送信タイミングを制御する。ここで、送信タイミング制御情報（TA）は、送信信号の送信タイミングを示す情報であり、移動局装置１０の初期アクセス時に基地局装置２０から送信されるRACH  Responseに含まれる。また、送信タイミング制御情報（TA）は、基地局装置２０から不定期に送信されるAperiodic  SRSグラントにも含まれる。送信タイミング制御部１４１０は、スケジューリンググラント復調・復号部１４００からAperiodic  SRSグラントに含まれる送信タイミング制御情報（TA）が入力された場合、当該Aperiodic  SRSグラントに含まれるタイミング制御情報（ＴＡ）に従って、送信信号の送信タイミングを制御する。
【０１２６】
送信電力制御部１４１１は、送信電力制御情報（TPC）又は拡張送信電力制御情報（Extended  TPC）に従って、送信信号の送信電力を制御する。ここで、送信電力制御情報（TPC）は、上述のように、ＵＬスケジューリンググラントに含まれる２ビットの情報であり、送信電力を４段階で増減させるものである。また、拡張送信電力制御情報（Extended  TPC）は、上述のように、Aperiodic  SRSグラントに含まれる４ビットの情報であり、送信電力を１６段階で増減させるものである。
【０１２７】
より具体的には、送信電力制御部１４１１は、タイミングiにおける送信信号の送信電力を次式に従って制御する。
ＰPUSCH(i)=min{ＰCMAX,  10log10,  (ＭPUSCH(i))+Ｐo_PUSCH(j)  +α・PL+ΔTF(i)  +  ｆ(i)}
ここで、ＰCMAXは、最大送信電力、ＭPUSCH(i)は、タイミングｉにおける送信帯域幅、Ｐo_PUSCH(i)は、伝搬ロスを０とした場合のタイミングＩにおける目標受信電力、αは、フラクショナルＴＰＣの重み係数、ＰＬは、伝搬ロスの測定値、ΔTF(i)は、ＭＣＳ（変調・符号化方式）に依存するタイミングｉにおけるオフセット、ｆ(i)は、上述の送信電力制御情報（TPC）又は拡張送信電力制御情報（Extended  TPC）によるタイミングｉにおける補正値である。
【０１２８】
送信電力制御部１４１１は、スケジューリンググラント復調・復号部１４００からＵＬスケジューリンググラントに含まれる送信電力制御情報（TPC）が入力された場合、タイミングｉにおける補正値ｆ(i)を図２０（ａ）に示すように４段階で増減する。一方、送信電力制御部１４１１は、スケジューリンググラント復調・復号部１４００からAperiodic  SRSグラントに含まれる拡張送信電力制御情報（Extended  TPC）が入力された場合、タイミングｉにおける補正値ｆ(i)を図２０（ｂ）に示すように１６段階で増減する。
【０１２９】
送信電力制御部１４１１において送信電力が制御された送信信号は、図１３の送受信部１３に入力され、アンプ部１２、送受信アンテナ１１を介して基地局装置２０に送信される。
【０１３０】
このように変更例に係る移動局装置１０においては、データチャネル信号（ＰＵＳＣＨ）の送信が中断された後に再開される場合にも、移動局装置１０は、基地局装置２０から送信されたAperiodic  SRSグラントに含まれる拡張送信電力制御情報（Extended  TPC）に従って、当該所定時間経過後のデータチャネル信号（ＰＵＳＣＨ）の送信電力を適切に設定できる。同様に、移動局装置１０は、基地局装置２０から送信されたAperiodic  SRSグラントに含まれる送信タイミング制御情報（TA）に従って、当該所定時間経過後のデータチャネル信号の送信タイミングを適切に設定できる。
【０１３１】
図２３は、基地局装置２０が有するベースバンド信号処理部２４の機能ブロック図である。なお、図２３に示すベースバンド信号処理部２４においては、説明の便宜上、本発明の第１１の態様に係る参照信号送信方法に関連する構成のみを示しているが、通常のベースバンド処理部が備える構成について備えているものとする。
【０１３２】
ＣＰ除去部２４００は、図１４のベースバンド信号処理部２４から入力された受信信号からサイクリックプリフィクスを除去し、高速フーリエ変換（ＦＦＴ：Fast  Fourier  Transform）部２４０１に出力する。
【０１３３】
ＦＦＴ部２４０１は、ＣＰ除去部２４００から入力された受信信号についての高速フーリエ変換処理を行う。ＦＦＴ部２４０１は、時間領域から周波数領域に変換された受信信号のうち、ＰＵＳＣＨに関する受信信号をＰＵＳＣＨデマッピング部２４０２に出力し、Periodic  SRSに関する受信信号をPeriodic  SRSデマッピング部２４０３に出力し、Aperiodic  SRSに関する受信信号をAperiodic  SRSデマッピング部２４０４に出力する。
【０１３４】
ＰＵＳＣＨデマッピング部２４０２は、ＦＦＴ部２４０１から入力されたＰＵＳＣＨに関する受信信号を周波数領域でデマッピングする。ＰＵＳＣＨデマッピング部２４０２は、デマッピングされた受信信号を逆離散フーリエ変換（ＩＤＦＴ）部２４０５に出力する。
【０１３５】
ＩＤＦＴ部２４０５は、ＰＵＳＣＨデマッピング部２４０２から入力された受信信号の逆離散フーリエ変換処理を行う。ＩＤＦＴ部２４０５は、周波数領域から時間領域に変換された受信信号をデータチャネル復調・復号部２４０６に出力する。
【０１３６】
データチャネル復調・復号部２４０６は、ＩＤＦＴ部２４０５から入力された受信信号に対して、伝送フォーマット（変調方式、符号化率）に基づいて復調処理及び復号処理を行う。かかる復調処理及び復号処理により、受信データが再生される。
【０１３７】
Periodic  SRSデマッピング部２４０３は、ＦＦＴ部２４０１から入力されたPeriodic  SRSに関する受信信号を周波数領域でデマッピングする。Periodic  SRSデマッピング部２４０３は、デマッピングされた受信信号を上りリンクチャネル品質測定部２４０７に出力する。
【０１３８】
Aperiodic  SRSデマッピング部２４０４は、ＦＦＴ部２４０１から入力されたAperiodic  SRSに関する受信信号を周波数領域でデマッピングする。Aperiodic  SRSデマッピング部２４０４は、デマッピングされた受信信号を上りリンクチャネル品質測定部２４０７に出力する。
【０１３９】
上りリンクチャネル品質測定部２４０７は、Periodic  SRSに関する受信信号に基づいて、或いは、Aperiodic  SRSに関する受信信号に基づいて、上りリンクのチャネル品質を測定する。上りリンクチャネル品質測定部２４０７は、測定した上りリンクのチャネル品質を送信電力・送信タイミング制御部２４１０に出力する。
【０１４０】
送信電力・送信タイミング制御部２４１０は、上りリンクチャネル品質測定部２４０７から入力された上りリンクのチャネル品質に基づいて、送信電力制御情報(TPC)、拡張送信電力制御情報（Extended  TPC）、送信タイミング制御情報（TA）を生成する。送信電力制御情報（TPC）は、上りリンクのチャネル品質に基づいて、上りリンクのデータチャネル信号（ＰＵＳＣＨ）の送信電力を４段階で制御するものである。また、拡張送信電力制御情報（Extended  TPC）は、上りリンクのチャネル品質に基づいて、Aperiodic  SRSや上りリンクのデータチャネル信号（ＰＵＳＣＨ）の送信電力を送信電力制御情報（TPC）よりも拡大された制御範囲（例えば、１６段階）で制御するものであり、Aperiodic  SRSグラントの送信トリガが検出された場合に生成される。Aperiodic  SRSグラントの送信トリガとしては、例えば、スケジューリンググラント信号生成部２４０９は、移動局装置１０からのスケジューリング要求が前回のスケジューリング要求から所定時間経過後に受信されたこと（すなわち、移動局装置１０が中断したデータチャネル信号（ＰＵＳＣＨ）の送信を再開しようとすること）が挙げられる。また、送信タイミング制御情報（TA）は、上りリンクのチャネル品質に基づいて、上りリンクのデータチャネル信号（ＰＵＳＣＨ）の送信タイミングを制御するものであり、Aperiodic  SRSグラントの送信トリガが検出された場合に生成される。なお、送信電力・送信タイミング制御部２４１０は、送信電力制御手段と送信タイミング制御手段とを構成する。
【０１４１】
上りリンクスケジューラ２４０８においては、上りリンクチャネル品質測定部２４０７によって測定された上りリンクのチャネル品質に基づいて、移動局装置１０からＰＵＳＣＨを送信するためのスケジューリングを行う。上りリンクスケジューラ２４０８は、スケジューリングにより決定されたスケジューリング情報と、送信電力・送信タイミング制御部２４１０によって決定された送信電力制御情報(TPC)、拡張送信電力制御情報（Extended  TPC）、送信タイミング制御情報（TA）をスケジューリンググラント信号生成部２４０９に出力する。
【０１４２】
スケジューリンググラント信号生成部２４０９は、生成手段を構成するものであり、上りリンクスケジューラ２４０８から入力されたスケジューリング情報に基づいて、スケジューリンググラントを生成する。具体的には、スケジューリンググラント信号部２４０９は、移動局装置１０からのスケジューリング要求に応じて、図１９（ａ）に示すＵＬスケジューリンググラントを生成する。また、スケジューリンググラント信号部２４０９は、上述のようなAperiodic  SRSグラントの送信トリガが検出された場合、図１９（ｂ）に示すAperiodic  SRSグラントを生成する。スケジューリンググラント信号生成部２４０９により生成されたＵＬスケジューリンググラント信号又はAperiodic  SRSグラント信号は、送受信部２３、アンプ部２２及び送受信アンテナ２１を介して下りリンクにて移動局装置１０に送信される。なお、これらの送受信部２３、アンプ部２２及び送受信アンテナ２１により送信手段が構成される。
【０１４３】
このように変更例に係る基地局装置２０においては、移動局装置１０から送信されるデータチャネル信号（ＰＵＳＣＨ）が存在しない期間においても、移動局装置１０から周期的に送信されるPeriodic  SRSに基づいて上りリンクのチャネル品質を測定できる。したがって、基地局装置２０は、移動局装置１０からのデータチャネル信号（ＰＵＳＣＨ）の送信が再開されるタイミングにより近いチャネル状態を反映して、拡張送信電力制御情報（Extend  TPC）或いは送信タイミング制御情報（TA）を設定することができる。また、送信電力の制御範囲が拡大された拡張送信電力制御情報（Extended  TPC）を設定できるので、移動局装置１０において、中断されたデータチャネル信号（ＰＵＳＣＨ）の送信が再開される場合にも（すなわち、前回のデータチャネル信号（ＰＵＳＣＨ）の送信時とは上りリンクのチャネル状態が大きく異なる場合にも）、データチャネル信号（ＰＵＳＣＨ）の送信電力を広い制御範囲で適切に設定することができる。
【０１４４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１４５】
１  移動通信システム
１０  移動局装置
１１  送受信アンテナ
１２  アンプ部
１３  送受信部
１４  ベースバンド信号処理部
１５  アプリケーション部
１４０  スケジューリンググラント復調・復号部
１４１  Dynamic  SRS信号生成部
１４２  Dynamic  SRSマッピング部
１４３  Semi-static  SRS信号生成部
１４４  Semi-static  SRSマッピング部
１４５  逆高速フーリエ変換部（ＩＦＦＴ）
１４６  データチャネル信号生成部
１４７  離散フーリエ変換部（ＤＦＴ）
１４８  ＰＵＳＣＨマッピング部
１４９  サイクリックプレフィックス（ＣＰ）付加部
１４００  スケジューリンググラント復調・復号部
１４０１  Aperiodic  SRS信号生成部
１４０２  Aperiodic  SRSマッピング部
１４０３  Periodic  SRS信号生成部
１４０４  Aperiodic  SRSマッピング部
１４０５  逆高速フーリエ変換部（ＩＦＦＴ）
１４０６  データチャネル信号生成部
１４０７  離散フーリエ変換部（ＤＦＴ）
１４０８  ＰＵＳＣＨマッピング部
１４０９  サイクリックプレフィックス（ＣＰ）付加部
１４１０  送信タイミング制御部
１４１１  送信電力制御部
２０  基地局装置
２１  送受信アンテナ
２２  アンプ部
２３  送受信部
２４  ベースバンド信号処理部
２５  呼処理部
２６  伝送路インターフェース
２４０  サイクリックプレフィックス（ＣＰ）除去部
２４１  高速フーリエ変換部（ＦＦＴ）
２４２  ＰＵＳＣＨデマッピング部
２４３  Semi-static  SRSデマッピング部
２４４  Dynamic  SRSデマッピング部
２４５  逆離散フーリエ変換部（ＩＤＦＴ）
２４６  データチャネル復調・復号部
２４７  上りリンクチャネル品質測定部
２４８  上りリンクスケジューラ
２４９  スケジューリンググラント信号生成部
２４００  サイクリックプレフィックス（ＣＰ）除去部
２４０１  高速フーリエ変換部（ＦＦＴ）
２４０２  ＰＵＳＣＨデマッピング部
２４０３  Periodic  SRSデマッピング部
２４０４  Aperiodic  SRSデマッピング部
２４０５  逆離散フーリエ変換部（ＩＤＦＴ）
２４０６  データチャネル復調・復号部
２４０７  上りリンクチャネル品質測定部
２４０８  上りリンクスケジューラ
２４０９  スケジューリンググラント信号生成部
２４１０  送信電力・送信タイミング制御部
３０  上位局装置
４０  コアネットワーク
５０  セル
【図１】
0005269236.tif 000002
【図２】
0005269236.tif 000003
【図３】
0005269236.tif 000004
【図４】
0005269236.tif 000005
【図５】
0005269236.tif 000006
【図６】
0005269236.tif 000007
【図７】
0005269236.tif 000008
【図８】
0005269236.tif 000009
【図９】
0005269236.tif 000010
【図１０】
0005269236.tif 000011
【図１１】
0005269236.tif 000012
【図１２】
0005269236.tif 000013
【図１３】
0005269236.tif 000014
【図１４】
0005269236.tif 000015
【図１５】
0005269236.tif 000016
【図１６】
0005269236.tif 000017
【図１７】
0005269236.tif 000018
【図１８】
0005269236.tif 000019
【図１９】
0005269236.tif 000020
【図２０】
0005269236.tif 000021
【図２１】
0005269236.tif 000022
【図２２】
0005269236.tif 000023
【図２３】
0005269236.tif 000024